(57)【特許請求の範囲】
【請求項１】
ディスクドライブに装填可能な磁気ディスクカートリッジであって、
該磁気ディスクカートリッジが、ハウジング内に磁気ディスクを回転自在に収容してなるものであり、
前記ハウジングが、前記ディスクドライブの磁気ヘッドを前記磁気ディスクの表面にアクセスさせるための開口と、該開口を開閉するシャッターとを備えるとともに、
前記ハウジングが、前記磁気ディスクの輪郭に沿った円弧と、前記輪郭に沿った円に外接し、かつ互いに直交する２本の直線とからなる外縁形状を有し、
前記ハウジングは、金属製の下シェルと、該下シェルに嵌合された金属製の上シェルとによって構成され、
前記下シェルは、底板と、前記開口の部位を除いて前記底板の周縁から上方へ立ち上がる側壁とを備え、
前記上シェルは、頂板と、前記開口の部位を除いて前記頂板の周縁から下方へ垂下して、前記下シェルの側壁の内側に弾性的に嵌着される側壁とを有することを特徴とする磁気ディスクカートリッジ。
【請求項２】
前記下シェルが、前記互いに直交する２本の直線に沿って延びる二つの側壁を備え、該二つの側壁のうちの一方の側壁は、該磁気ディスクカートリッジのディスクドライブへの挿入方向と直交し、他方の側壁は挿入方向と平行であることを特徴とする請求項１記載の磁気ディスクカートリッジ。
【請求項３】
前記挿入方向と直交する一方の側壁は該挿入方向に関してトレーリング側の端部に設けられ、該側壁の、前記磁気ディスクの回転軸線と平行な方向の寸法が、前記ハウジングの磁気ディスク収容部分の厚さよりも大であることを特徴とする請求項２記載の磁気ディスクカートリッジ。
【請求項４】
さらに前記挿入方向に平行な他方の側壁の、前記磁気ディスクの回転軸線と平行な方向の寸法が、前記ハウジングの磁気ディスク収容部分の厚さよりも大であることを特徴とする請求項３記載の磁気ディスクカートリッジ。
【請求項５】
前記二つの側壁の下縁が前記ハウジングの面板部の下面に一致し、上記二つの側壁の上縁が該ハウジングの面板部の上面から突出していることを特徴とする請求項４記載の磁気ディスクカートリッジ。
【請求項６】
前記二つの側壁の外面は、これに隣接する、前記磁気ディスクの輪郭に沿った円弧を描く周壁の外周面の外接線よりも若干外方に張り出していることを特徴とする請求項２から５のいずれか１項記載の磁気ディスクカートリッジ。
【請求項７】
前記二つの側壁によって構成されるコーナー部が、前記ディスクドライブへの挿入方向に関してトレーリング側の片隅に形成されていることを特徴とする請求項２から６のいずれか１項記載の磁気ディスクカートリッジ。
【発明の詳細な説明】
【０００１】
【発明の属する技術分野】
本発明は、デジタルスチルカメラ、デジタルビデオカメラ、ノートパソコン等に設けられたディスクドライブ等に対し交換自在に装填可能な小型の磁気ディスクカートリッジに関するものである。
【０００２】
【従来の技術】
従来、デジタルスチルカメラ、デジタルビデオカメラ、ノートパソコン等の電子機器のカードスロットには、種々の記録メディアが挿抜可能に装填され、記録再生をするようになっている。このような記録媒体としては、半導体メモリタイプのもの、ハードディスク型のもの、光ディスク型のもの、フロッピー（登録商標）ディスクのような磁気ディスクの小型のもの等、各種のものが実用に供されている。
【０００３】
【発明が解決しようとする課題】
この中では、半導体のメモリが取り扱いやすく、記録容量も適当に大きいので、最もポピュラーであるが、比較的価格が高い。したがって、これらのメモリを用いるデジタルカメラなどでは、撮影した画像データをパソコンなどに転送して保存し、その後データは削除し、記録媒体は繰返し使うのが一般的である。
【０００４】
ハードディスク型のものとしては、３４０MBや１GBの容量を持つものが知られているが、これも価格が高く、データは他に転送して保存し、記録媒体は繰返し使うことになる。
【０００５】
光ディスク型のものは大きさの割に記録容量が大きく、例えば３５ｍｍ×４１ｍｍ×１１ｍｍのサイズの中に２５６MBのデータを記録することができ、５１２MBの記録容量を持ったものも実現しようとしている。しかし、光ディスクは書込みに時間がかかるので記録速度が遅いという難点がある。
【０００６】
一方、フロッピー（登録商標）ディスクのような磁気ディスクを５０ｍｍ×５５ｍｍ×２ｍｍ程度の小型のものとし、これをパソコン等のカードスロットに挿入できるサイズのディスクドライブに交換自在に装填可能としたものも知られているが、これは容量が４０MBと小さく、カメラの画像を記録するという観点では容量不足であるし、大きさもデジタルカメラには向かない。
【０００７】
近年、デジタルカメラが、その記録の簡便さ、撮像素子の開発による画質の向上、データの削除や転送の可能性や記録容量の大きさなど、パソコンが普及した社会の背景と相俟って、急速に広く普及しているが、記録媒体（以下、メディアという）が上述のように価格や容量の面で制限されているため、その使用の態様に制限がある。例えば、メディアが高価であるため、１台のカメラにメディアを何枚も持つということはしないで、データが一杯になったらパソコンに移して削除するなどして、１枚のメディアを繰返し使用するのが普通であることは上述の通りである。そのため、旅先で記録媒体が足りなくなることがあり、またデータを入れたメディアをそのまま保存したり、人にあげたりするというようなことができない。
【０００８】
そこで、デジタルカメラで撮影したデータをそのまま保存したり、気軽に人に上げたりすることができるように、大容量で安価な小型のメディアの実現が望まれる。また、パソコンにおいても、データを入れて人に渡したりすることができる大容量で安価な小型のメディアの実現が望まれる。
【０００９】
そのような要望に応え、デジタルカメラで撮影したデータやパソコンのデータをそのまま保存したり、気軽に人にあげたりすることができるような大容量で安価な小型のメディアとして、パソコンやデジタルカメラなどの電子機器に装填可能なカード型ディスクドライブと、そのディスクドライブに装填可能な磁気ディスクカートリッジとからなるメディアが考えられる。すなわち、そのような磁気ディスクカートリッジとして、開閉シャッターを備えたハウジングに高密度磁気記録が可能なフレキシブルな磁気ディスクを回転自在に収容し、例えば２００MB以上の記録容量を備えた磁気ディスクカートリッジとすることが考られる。そのための高記録密度磁気記録媒体としては、蒸着法またはスパッタリング法により金属薄膜を施したもの、あるいはバリウムフェライト粉末や強磁性金属粉末を用いたものが採用できる。バリウムフェライト粉末を用いたものの例として、本出願人が出願した特願２００１−３１２８６４号がある。
【００１０】
「バリウムフェライト粉末を用いた高記録密度磁気記録媒体」とは、磁性層にバリウムフェライト粉末を含有した磁気ディスクであって、高記録密度の実現が可能な材料を用いたものであり、例えば、特願２００１−２０５２９０号に開示された、非磁性支持体の少なくとも一方の面に、非磁性粉末及び結合剤を含む非磁性層と、六方晶系フェライト粉末である強磁性粉末及び結合剤を含む磁性層とをこの順に有する磁気記録媒体であって、非磁性層が平均粒径１０〜３０ｎｍのカーボンブラックを前記非磁性粉末１００質量部に対して１０〜５０質量部含有し、磁性層の厚さが０．２μｍ以下であり、電子線マイクロアナリシスによる強磁性粉末に起因する元素の平均強度ａに対する強度の標準偏差ｂが０．０３≦ｂ／ａ≦０．４であり、かつ、磁性層の中心面平均粗さＲａが５ｎｍ以下、１０点平均粗さＲｚが４０ｎｍ以下である磁気記録媒体である。この材料を用いた磁気ディスクに対しては、例えば高記録密度の可能なＭＲヘッド等の磁気ヘッドを用いて情報の記録再生を行う。
【００１１】
上記メディアの発明によれば、記録容量２００MB以上、好ましくは５００MB以上の高記録密度のメディアを実現することができ、これにより、例えば静止画であれば一枚約１MBとして、５００枚記録させることができ、また動画であれば３０分程度の映像コンテンツを記録できるようになる。したがってデジタルカメラで撮影した動画や、携帯電話で配信される動画等を記録することができ、コンテンツを使用する際のユーザーの利便性を向上させることができる。また、もちろんパソコンにおいても安価な大容量のデータ保存メディアとして便利に利用することができ、その利便性は大きい。
【００１２】
なお、本明細書におけるディスクドライブの好ましい例として、一般にパソコンの場合は、図１４（ａ）に示すように、パソコンに設けられたＰＣカード用のスロットに挿入されるカード２の受容部のソケット４に電気的に接続されて装填されるディスクドライブ６の外、例えば「ｃｌｉｃｋ！（登録商標）」のようなＰＣカードに内蔵されているディスクドライブをも意味する。また、デジタルカメラ３等の場合には、図１４（ｂ）に示すように、カメラ３の受容部５のソケットに電気的に接続されて装填されるディスクドライブ６である。したがって、このディスクドライブ６は極めて小型であり、例えば３８ｍｍ〜５５ｍｍの長さと３５ｍｍ〜５１ｍｍの幅と３ｍｍ〜５ｍｍの厚さを有し、磁気ディスクカートリッジ８は、例えば２５ｍｍ〜３６ｍｍの長さおよび幅と１ｍｍ〜３ｍｍの厚さを有するものが挙げられる。
【００１３】
ところで、このような小型の磁気ディスクカートリッジのハウジングを円盤状に形成し、コイン感覚で磁気記録メディアを取り扱うことが提案されている。すなわち、自動販売機に硬貨を投入するような気軽な感覚で、磁気記録メディアを取り扱うことで、利便性を向上させることが提案されている。
【００１４】
しかしながら、ハウジングの形状を円盤状にしたときには、ディスクドライブへの挿入向きを識別できるようにする必要がある。すなわち、ハウジングを円盤状にすると、ハウジングに取り付けられたシャッターの向きに関係なくディスクドライブ挿入することができてしまうことになる。シャッターがディスクドライブ内の所定の位置に位置決めされないと、磁気ディスクへ情報の記録再生を行うことができない。したがって、ハウジングが磁気ディスクドライブに対して所定の向きで位置決めされる必要がある。
【００１５】
また、このような磁気ディスクカートリッジがディスクドライブに装填された場合に、例えば磁気ディスクカートリッジのハウジングが備えている位置決め用の孔または凹部にディスクドライブ側の突起が係入して、磁気ディスクカートリッジがディスクドライブ内の所定位置に係止されるようになっているが、この係合部分に多少でも遊びがあると、ディスクドライブが備えている高記録密度を有する磁気ディスクと、カートリッジ側の磁気ディスクとの相対位置が変動して、記録再生特性に悪影響を及ぼすことになる。
【００１６】
さらに、磁気ディスクカートリッジが極めて小型なために、このカートリッジをディスクドライブを取り出す際におけるディスクドライブからの離間性が悪く取出しに困難を伴うという問題もあった。
【００１７】
さらに、上記磁気ディスクカートリッジはコイン感覚で取り扱えるほど小さいので、この磁気ディスクカートリッジを指で摘むと表裏の全面が覆われてしまい、目視でこの磁気ディスクカートリッジの表裏を確認することが困難となる。さらに、ハウジングが円盤状に形成されたこの磁気ディスクカートリッジの表裏両面が略平面を成すものであると、表裏の向きを間違えて磁気ディスクカートリッジを上記ディスクドライブへ挿入してしまうことが考えられる。
【００１８】
このように、ディスクドライブに磁気ディスクカートリッジが誤挿入されると、磁気ディスクカートリッジがディスクドライブ中の所定の位置に配置されないので、磁気ディスクへの情報の記録および磁気ディスクからの情報の再生が実行されず、磁気ディスクカートリッジの挿入の向きを正しい向きに修正して、再度磁気ディスクカートリッジをディスクドライブに挿入することになり操作効率が低下する。さらに、表裏を間違えたまま磁気ディスクカートリッジをディスクドライブに無理に押し込むと磁気ディスクカートリッジが故障してしまう虞もあるので、磁気ディスクカートリッジの表裏を正確に識別したいという要請がある。
【００１９】
一方、一般の生活用品においては、その利用者や消費者を保護するために、例えば注意書きが書かれたシールを必ず製品に貼ったりする等の安全対策が行われているが、乳幼児の誤飲、誤食による事故、特に一般的に乳幼児は、何でも口に入れてしまう傾向があり、充分な判別能力を有しないことから、その事故発生率が高いというのが現状である。
【００２０】
このことから、上述のようなきわめて小型の磁気ディスクカートリッジにおいては、乳幼児の誤飲、誤食による事故を未然に防止する必要がある。特に、磁気ディスクカートリッジは誤って飲み込んでしまうという事態に至らなくても、口に含んだり、舐めることによって、唾液などが記録面に付着し重要な記録再生のエラーを生じさせるという事態を招くことになる。
【００２１】
上述の事情に鑑み、本発明の第１の目的は、ディスクドライブに挿入する際、ディスクドライブに対して確実に所定の向きで位置決めされ、情報の記録再生を行うことができる磁気ディスクカートリッジを提供することにある。
【００２２】
本発明の第２の目的は、磁気ディスクカートリッジがディスクドライブへ挿入されてディスクドライブ内の所定位置に係止された場合の遊びを防止し、かつディスクドライブからの取出し時における離間性を向上させた磁気ディスクカートリッジを提供することにある。
【００２３】
本発明の第３の目的は、表裏をより正確に識別することができる磁気ディスクカートリッジを提供することにある。
【００２４】
本発明の第４の目的は、乳幼児等が口に含んだとしても、自ら直ぐに吐き出させるようにして誤飲、誤食による事故を防止することを可能にした磁気ディスクカートリッジを提供することにある。
【００２５】
【課題を解決するための手段】
本願第１の発明は、ディスクドライブに装填可能な磁気ディスクカートリッジであって、この磁気ディスクカートリッジが、ハウジング内に磁気ディスクを回転自在に収容してなるものであり、上記ハウジングが、上記ディスクドライブの磁気ヘッドを磁気ディスクの表面にアクセスさせるための開口と、この開口を開閉するシャッターとを備えるとともに、上記ハウジングが、上記磁気ディスクの輪郭に沿った円弧と、上記磁気ディスクの輪郭に沿った円に外接し、かつ互いに直交する２本の直線とからなる外縁形状を有し、上記ハウジングは、金属製の下シェルと、該下シェルに嵌合された金属製の上シェルとによって構成され、上記下シェルは、底板と、上記開口の部位を除いて上記底板の周縁から上方へ立ち上がる周壁とを備え、上記上シェルは、頂板と、上記開口の部位を除いて上記頂板の周縁から下方へ垂下して、上記下シェルの周壁の内側に弾性的に嵌着される周壁とを有することを特徴とするものである。
【００２６】
上記下シェルは、上記互いに直交する２本の直線に沿って延びる二つの側壁を備え、これら二つの側壁のうちの一方の側壁が、この磁気ディスクカートリッジのディスクドライブへの挿入方向と直交し、他方の側壁が挿入方向と平行であることが好ましい。
【００２７】
上記二つの側壁のうち、挿入方向と直交する一方の側壁は、挿入方向に関してトレーリング側の端部に設けられているとともに、この側壁の、磁気ディスクの回転軸線と平行な方向の寸法が、このハウジングの磁気ディスク収容部分の厚さよりも大であることが好ましい。
【００２８】
さらに、上記二つの側壁のうち、挿入方向と平行な他方の側壁の、磁気ディスクの回転軸線と平行な方向の寸法も、このハウジングの磁気ディスク収容部分の厚さよりも大であることが好ましい。
【００２９】
その場合、上記二つの側壁の下縁がハウジングの面板部の下面に一致し、上記二つの側壁の上縁がハウジングの面板部の上面から突出していることが特に好ましい。
【００３０】
また、上記二つの側壁の外面は、これに隣接する、磁気ディスクの輪郭に沿った円弧を描く周壁の外周面の外接線よりも若干外方に張り出していることが好ましい。
【００３１】
さらに、上記二つの側壁によって構成されるコーナー部が、ディスクドライブへの挿入方向に関してトレーリング側の片隅に形成されていることことが好ましい。
【００３２】
さらに、上記ハウジングが、下シェルと、この下シェルの内側に上方から嵌合される上シェルとによって構成され、かつ磁気ディスクカートリッジを構成するすべての構成要素が、上記下シェル内に積上げ方式で組み付けられるように構成されていることが好ましい。
【００３３】
その場合、下シェル側のシャッターが下シェルの内側に配置され、かつ上シェル側のシャッターが上シェルの外側に配置され、上下のシャッターがハウジングの開口の前面側において互いに結合されて一体に回動し得るように構成されていることが好ましい。
【００３４】
なお、本発明（以下の発明も同じ）においては、上記磁気ディスクが、バリウムフェライト粉末を用いた高記録密度磁気記録媒体であることが好ましい。
【００３５】
次に、本願第２の発明は、ディスクドライブに対し挿入により装填可能な磁気ディスクカートリッジであって、
この磁気ディスクカートリッジが、ハウジング内に磁気ディスクを回転自在に収容してなるものであり、
上記ハウジングのディスクドライブへの挿入方向に関してトレーリング側に、磁気ディスクカートリッジがディスクドライブに挿入されてこのディスクドライブ内の所定位置に係止された状態で該磁気ディスクカートリッジを排出方向に付勢する付勢手段が設けられていることを特徴とするものである。
【００３６】
その場合、上記ハウジングが、ディスクドライブへの挿入方向に関してトレーリング側の端部に、挿入方向と直交する方向に直線的に延びかつ上縁がハウジングの面板部の上面から上方へ突出する側壁を備え、上記付勢手段が、ディスクドライブへ挿入された場合に、このディスクドライブのカートリッジ挿入スロットの上縁部の外壁面に弾性的に当接するように上記側壁の上部に設けられた板バネ部で構成されていることが好ましい。
【００３７】
さらに、本願第３の発明は、ディスクドライブに装填可能な磁気ディスクカートリッジであって、
この磁気ディスクカートリッジが、フレキシブルな磁気ディスクと、この磁気ディスクを回転自在に収容するハウジングとを備え、
上記ハウジングが、ディスクドライブの磁気ヘッドを磁気ディスクの表面にアクセスさせるための開口と、この開口を開閉するシャッターとを備えているとともに、ハウジングの表裏の少なくとも一方の面上に、この面を他方の面と識別可能にする凹凸部が設けられていることを特徴とするものである。
【００３８】
上記凹凸部は、上記一方の面にマット加工を施すことにより、あるいは、上記一方の面の一部にラベルを貼付することにより形成することができる。
【００３９】
最後に、本願第４の発明は、ディスクドライブに装填可能な磁気ディスクカートリッジであって、
この磁気ディスクカートリッジが、磁気ディスクと、この磁気ディスクを回転自在に収容するハウジングとを備え、
このハウジングの表面の少なくとも一部に、催吐剤を主成分として含有した催吐剤層が形成されていること、および／または磁気ディスクカートリッジを口に入れた際の異物感を増幅させるような手段が設けられていることを特徴とするものである。
【００４０】
上記催吐剤層はハウジングの表面の一部に設けてもよいし、ハウジングの表面全面に設けてもよい。また、催吐剤層上にはこの催吐剤層を部分的に覆うように保護層を設けてもよい。また、上記磁気ディスクカートリッジを口に入れた際の異物感を増幅させるような手段は、例えばハウジングの縁部にギザギザ加工を施すことによって設けることができる。
【００４１】
【発明の効果】
本願第１の発明によれば、そのハウジングが、磁気ディスクの輪郭に沿った円弧と、磁気ディスクの輪郭に沿った円に外接し、かつ互いに直交する２本の直線とからなる外縁形状を有することにより、ディスクドライブに挿入する際、ディスクドライブに対して確実に所定の向きで位置決めすることができる。
【００４２】
特に、上記ハウジングの互いに直交する２本の直線に沿って延びる二つの側壁の、磁気ディスクの回転軸線と平行な方向の寸法が、ハウジングの磁気ディスク収容部分の厚さよりも大である場合、特に二つの側壁の上縁がハウジングの面板部の上面から突出している場合、および／または、上記二つの側壁の外面が、これに隣接する、磁気ディスクの輪郭に沿った円弧を描く周壁の外周面の外接線よりも外方に張り出している場合、ディスクカートリッジを手で摘んだだけで、直ちにディスクカートリッジの表裏およびディスクドライブに対する正しい挿入方向を識別することができるとともに、ディスクドライブ側のカーリッジ挿入用スロットの形状を上記二つの側壁の突出形状に対応させることにより、ディスクカートリッジが誤った向きになっているとこのスロットに挿入できないようにして、誤挿入をさらに確実に防止することができる。
【００４３】
また、上記二つの側壁によって画成されるハウジングコーナー部が、磁気ディスクの外周から離れた位置にあるため、このコーナー部に、ハウジングを上下に貫通する位置決め基準孔を設けたり、あるいは、例えば光の反射、透過または特定波長の透過によって情報を読み取ることができる識別片をハウジングに後から埋め込むこむこともでき、その場合、この識別片によって記録容量等を識別することができるから、ハウジングを共通にすることができるという利点もある。
【００４４】
さらに、上記ハウジングが、下シェルと、この下シェルの内側に上方から嵌合される上シェルとによって構成され、かつこの磁気ディスクカートリッジを構成するすべての構成要素が、下シェル内に積上げ方式で組み付けられるようになっている場合には、超小型でありながら組立性に優れたディスクカートリッジを得ることができる。
【００４５】
本願第２の発明によれば、そのハウジングのディスクドライブへの挿入方向に関してトレーリング側に、磁気ディスクカートリッジがディスクドライブに挿入されてこのディスクドライブ内の所定位置に係止された状態で磁気ディスクカートリッジを排出方向に付勢する付勢手段が設けられていることことにより、磁気ディスクカートリッジがディスクドライブへ挿入されてディスクドライブ内の所定位置に係止された場合の遊びを防止することができる。
【００４６】
また、磁気ディスクカートリッジを排出方向に付勢する付勢手段が設けられていることにより、磁気ディスクカートリッジがディスクドライブ内における係止から解放されたときには、上記付勢手段の付勢力により取出し方向へ押し出されるから、ディスクドライブからの離間性が向上し、取出しが容易になる利点がある。
【００４７】
そして、上記付勢手段を、ハウジングの側壁に一体に設けた板バネ部の弾性復元力を利用した構成とする場合には、簡単な構成で目的を達することができるカートリッジ挿入用スロットの形状を上記二つの側壁の突出形状に一致させることにより、ディスクカートリッジの誤挿入も防止することができる。
【００４８】
本願第３の発明によれば、ハウジングの表裏の少なくとも一方の面上に、この面を他方の面と識別可能にする凹凸部が設けられていることにより、手触りで（触感で）上記凹凸部の存在を認識することができ、これにより表裏をより正確に識別することができる。したがって、磁気ディスクカートリッジを指で摘んだときにこの磁気ディスクカートリッジの全面が指で覆われて目視で表裏を確認できないような場合であっても、触感で上記磁気ディスクカートリッジの表裏を識別することができるので、表裏を間違えて磁気ディスクカートリッジをディスクドライブへ挿入する誤りを防止することができる。
【００４９】
なお、表裏のいずれを凹凸部の有る方にするか、あるいはいずれの面をディスクドライブの表の面に合わせるかについては、別途ディスクドライブ側あるいはディスクを使用する電子機器側で明確に指示する必要があるのは無論である。
【００５０】
本願第４の発明によれば、ハウジングの表面の少なくとも一部に、催吐剤を主成分として含有した催吐剤層が形成されていることにより、および／または磁気ディスクカートリッジを口に入れた際の異物感を増幅させるような手段が設けられていることにより、誤って又はふざけて口に含んだり舐めたりしたときに、その刺激によって無意識的に口から吐き出させてしまう作用があり、従って、乳幼児の誤飲、誤食を防止することができる。また、刺激によって直ちに吐き出させることができるため、唾液などが記録面に付着して重要な記録再生のエラーを生じさせるという事態を防止することができる。
【００５１】
本願発明による磁気ディスクカートリッジは、特にデジタルカメラに使用するのに適し、取扱いに便利なだけでなく、磁気ディスクであるため安価に製造することができ、記録済みのディスクカートリッジをそのまま保存したり、人に上げたりする使い方ができるようになる。
【００５２】
【発明の実施の形態】
以下、本発明による磁気ディスクカートリッジの実施の形態を図面に基づいて説明する。
【００５３】
図１は、図１４（ａ）に示したものと同様のパソコンに設けられたＰＣカード用のスロットに挿入されるＰＣカード２の受容部のソケット４に電気的に接続されて装填されるディスクドライブ６と、このディスクドライブ６に挿入される本発明による磁気ディスクカートリッジを示し、このディスクカートリッジ１０は、偏平なハウジング１２内に、バリウムフェライト粉末を用いた高記録密度磁気記録媒体であることが好ましいフレキシブルな円盤状磁気ディスク１４を回転自在に収容してなり、ハウジング１２は、ディスクドライブ６の磁気ヘッドを磁気ディスク１４の表面にアクセスさせるための開口を開閉する回動式シャッター３５を備えるとともに、磁気ディスク１４の輪郭に沿った円と、互いに直角に交わる２本の上記円の外接線とからなる形状の外縁からなる平面形を有する。
【００５４】
図１に概略的に示された磁気ディスクカートリッジ１０の詳細構成が図２〜図５に示してあり、図２はこの磁気ディスクカートリッジ１０をこのカートリッジ１０が挿入されるディスクドライブ６の一部分とともに上方から見た斜視図、図３は磁気ディスクカートリッジ１０を下方から見た斜視図、図４はシャッターが開かれた状態を図２に対応させて示す斜視図、図５は分解斜視図である。
【００５５】
この磁気ディスクカートリッジ１０は、そのハウジング１２が、金属製の下シェル２０と、この下シェル２０の内側に上方から嵌合される金属製の上シェル３０とによって構成され、図５に示すように、下シェル２０側の金属製シャッター２５は下シェル２０に内蔵され、上シェル３０側の金属製シャッター３５は上シェル３０の外側に配置され、かつすべての構成要素が下シェル２０内に積上げ方式で組み付けられるようになっている。
【００５６】
図５から明らかなように、下シェル２０は、ハウジング１２の平面形の輪郭を画成する底板２０ａと、後述する開口２４の部位を除いて底板２０ａの周縁から上方へ立ち上がる側壁とを備え、側壁のうち、底板２０ａの上記２本の外接線に沿う直線状のコーナー外縁から立ち上がる側壁２１、２２は、その上縁が上シェル３０の上面よりも突出し、下縁は下シェル２０の下面に揃えられ、かつ両端部が、これに隣接した円周面を形成する側壁（周壁）２０ｂの外接線よりも若干外方に張り出して誤挿入防止壁を形成している。
【００５７】
そして、一方の側壁２１は、このディスクカートリッジ１０のディスクドライブ６への挿入方向に関しトレーリング側の隅部において挿入方向と直交するように形成され、他方の側壁２２は挿入方向と平行に形成されている。この側壁２２のディスクドライブ６への挿入方向に関しリーディング側の端部は、ディスクドライブ６に対する挿入位置決め段部２２ａを形成している。また、側壁２１、２２によって画成されたハウジング１２のコーナー部には、上下シェル３０，２０を磁気ディスク１４の回転軸線と略平行方向に貫通する孔１６が形成され、下シェル２０側の孔１６が位置決め基準孔となっている。
【００５８】
磁気ディスク１４の中心部には、センターコア１５が固定され、下シェル２０の底板２０ａの中央部には、センターコア１５の底面を外部に臨ませる中心孔２３が形成されている。この中心孔２３の周囲の上面には、後述する下側シャッター２５の環状部２５ａを回動可能に軸支する環状壁２０ｃが同軸的に形成され、さらに環状壁２０ｃは平坦な上面を備え、この上面上に、後述する下部滑りシート２８の中心部を支持するための、より小径の環状壁２０ｄが同軸的に形成されている。これら大小の環状壁２０ｃ，２０ｄは、底板２０ａに対する搾り加工によって形成することができる。また、下シェル２０の底板２０ａのコーナー部に形成された位置決め基準孔１６の周囲にも環状壁（図示は省略）が搾り加工によって形成されている。
【００５９】
さらに下シェル２０には、中心孔２３に関して位置決め基準孔１６側とは反対側に、ディスクドライブ６の後述する磁気ヘッドを磁気ディスク１４の表面にアクセスさせるための扇形に開いた開口２４が、中心孔２３の周りに所定の角度範囲に亘って形成され、この開口２４を開閉する回転式の下側シャッター２５が下シェル２０の内側に配置されている。
【００６０】
下側シャッター２５は、下シェル２０の上記環状壁２０ｃによって回動可能に軸支される中心の環状部２５ａと、上記開口２４よりも大きい角度範囲に亘って環状部２５ａから放射方向に延びる扇形の主板部２５ｂと、この主板部２５ｂの円弧状の外縁に沿って上方へ略直角に折り曲げられた垂直板部２５ｃとから構成されている。
【００６１】
一方、上シェル３０は、下シェル２０の底板２０ａと略相似形でかつ若干小さい頂板３０ａと、後述する開口３４の部位を除いて頂板３０ａの周縁から下方へ垂下して、下シェル２０の周壁２０ｂの内側に弾性的に嵌着される周壁３０ｂとを備え、下シェル２０の開口２４に一致する位置に、ディスクドライブ６の磁気ヘッドを磁気ディスク１４の表面にアクセスさせるための開口３４が形成され、この開口３４を開閉する上側シャッター３５が上シェル３０の外側に設けられている。
【００６２】
さらに、上シェル３０の互いに直交する２本の直線によって外縁が画成されているコーナー部には、下シェル２０側の位置決め基準孔１６に一致する孔１６に隣接して、例えば光の反射、透過または特定波長の透過によって情報の読取りが可能な識別片１８を後から埋め込むことができる穴１７が形成されている。孔１６の周囲の下面には環状壁（図示は省略）が絞り加工によって形成されている。
【００６３】
下側シャッター２５と略相似形をなす上側シャッター３５は、中心の環状部３５ａと、この環状部３５ａから放射方向に延びる扇状の主板部３５ｂと、この主板部３５ｂの円弧状の外縁に沿って下方へ略直角に折り曲げられた垂直板部３５ｃとを備え、さらに、シャッター２５，３５を開作動させるために、主板部３５ｂのシャッター開方向リーディング側の外端から上方へ切り起こされた作動用突片３５ｄを備えている。
【００６４】
なお、このシャッター作動用突片３５ｄの上縁は、組立て後、ハウジング１２のコーナー側壁２１，２２の上縁と略同一高さになるように規定されている。そのようにすることにより、複数のカートリッジ１０を水平状態に積み重ねる際にカートリッジ１０が傾くのを防止することができる。
【００６５】
そして、後述のように組立て時に互いに連結される垂直板部２５ｃ，３５ｃを回動自在に収容するために、下シェル２０の開口２４の両側には、シャッター２５，３５の回動範囲範囲に亘って半径方向外方へ張り出した周壁２６，２７が形成され、これら周壁２６，２７の内側に凹部２６ａ，２７ａを形成している。図２には、これら凹部２６ａ，２７ａが円弧状溝として表れている。
【００６６】
また、上シェル３０の頂板３０ａの上面には、シャッター３５の環状部３５ａおよび主板部３５ｂを収容し、かつシャッター３５の回動を許容するための凹部３６（図５参照）が形成され、この凹部３６の中心部には、シャッター３５の環状部３５ａを回動可能に軸支するための円形凸部３７が形成されている。そして、シャッター３５の環状部３５ａが円形凸部３７に軸支された場合、シャッター３５の主板部３５ｂが凹部３６の底面に接し、垂直板部３５ｃが上シェル３０の開口３４の両側の円弧状周壁３０ｂの外側に被さるようになっている。また、下側シャッター２５の垂直板部２５ｃの上縁と、上側シャッター３５の垂直板部３５ｃの下縁とには、上シェル３０が下シェル２０に嵌着された後に、上側シャッター３５を上シェル３０上に載置して上方から力を加えることにより互いに係合する係合部（図示は省略）が形成され、この係合によって上下のシャッター３５，２５が一体化されるように構成されている。
【００６７】
この磁気ディスクカートリッジ１０は、すべての構成部品を下シェル２０上に積み上げ式に組み立てることができる特徴を有しており、次に、上記した構成部品以外の構成部品の説明とともに、この磁気ディスクカートリッジ１０の組立て方法について図５を参照して説明する。
【００６８】
先ず下シェル２０の底板２０ａの環状壁２０ｃに下側シャッター２５の環状部２５ａを嵌める。この場合、シャッター２５は、その垂直板部２５ｃが開口２４の両側の凹部２６ａ，２７ａの内壁面に接する態様で主板部３５ｂが下シェル２０の開口２４を閉鎖した閉位置とする。次に下部滑りシート２８を配置する。この滑りシート２８は下シェル２０の底板２０ａと略相似形をなし、中心孔から外方に延びる扇形の開口２８ａと、互いに直交する２本の直線によって画成されたコーナー部とを備え、その中心孔を下シェル２０のの底板２０ａの環状壁２０ｄに嵌め、下側の環状壁２０ｃの平坦な上面で支持する。滑りシート２８はそのコーナー部に、下シェル２０の底板２０ａの形成された位置決め基準孔１６に一致する孔２８ｂを備えており、この孔２８ｂに下シェル２０の位置決め基準孔１６の周囲に形成された環状壁を嵌めて滑りシート２８のコーナー部を支持させる。
【００６９】
次に、センターコア１５を備えた磁気ディスク１４を配置し、さらに、開口３８ａとコーナー部の孔３８ｂとを備えて下部滑りシート２８と同形に形成された上部滑りシート３８を配置してから、上シェル３０の周壁３０ｂを下シェル２０の周壁２０ｂの内側に嵌着する。これにより、上記凹部２６ａ，２７ａにあるシャッター２５の垂直板部２５ｃが、上記凹部２６ａ，２７ａと上シェル３０の周壁３０ｂとによって形成される溝内で溝に沿って移動可能になる。また、上シェル３０の頂板３０ａのコーナー部に形成されている孔１６の環状壁が上部滑りシート３８のコーナー部の孔３８ｂに嵌められて、滑りシート３８のコーナー部が支持されるとともに、上下の滑りシート２８，３８のコーナー部は、上シェル３０のコーナー部の側壁の内壁面によっても支持される。
【００７０】
次に、上側のシャッター３５を、その環状部３５ａが上シェル３０上面の円形凸部３７に軸支される態様で組み付け、その垂直板部３５ｃを下側のシャッター２５の垂直板部２５ｃに結合してシャッター２５，３５を一体化する。次に、シャッター付勢用の平面形状の渦巻きバネ４０を円形凸部３７に嵌め、この渦巻きバネ４０の内端４０ｂを円形凸部３７のスリット３７ｂに係入させ、外端４０ａをシャッター３５の主板部３５ｂの切欠き３５ｅに係止することによって、シャッター２５，３５は閉方向に付勢され、かつ閉位置に保持される。
【００７１】
次に、上シェル３０の開口３４に倣う開口４１ａを備え、かつ上シェル３０の凹部３６よりも大径の金属製のカバープレート４１を、図５に破線４１ｂで示されている中心部を上シェル３０の円形凸部３７上に接着し、周縁部を上シェル３０の頂板３０ａ上に接着することによって、渦巻きバネ４０が外れないようにするとともに、カバープレート４１の下面側にシャッター３５の回動空間を画成し、以上をもってディスクカートリッジ１０の組立てが完了する。
【００７２】
上記カバープレート４１の上面は凹凸面とすることによって、ディスクカートリッジ１０の表裏を触感で識別することができる。この凹凸面は、例えばカバープレート４１の上面にマット加工を施すことにより形成することができ、このマット加工により鉛筆で数字等を書き込むことができる。あるいは図示のように、カバープレート４１の上面の一部分に例えば紙製の円形ラベル４２を貼付することによって凹凸面を形成してもよい。この場合は、ラベル４２に情報を書き込むことができるのみでなく、カバープレート４１の開口４１ａの輪郭に沿ったミシン目４２ａをラベル４２に設け、使用時にこのミシン目４２ａで囲まれた領域４２ｂを切り取るようにすることによって、未使用のカートリッジ１０のバージン保証に供することができ、また露出した上側シャッター３５の保護を図ることもできる。あるいは、カバープレート４１の上面に蛍光塗料を塗布して、暗闇の中でもディスクカートリッジ１０の表裏を識別できるようにしてもよい。
【００７３】
なお、上下シェル３０，２０の周壁３０ｂ，２０ｂ同士を弾性的に嵌合させるために、周壁３０ｂ，２０ｂのいずれか一方、例えば周壁３０ｂに、図示のような複数のスリット３９を設けることによって、周壁３０ｂに弾性を与えることが好ましい。また、下側シャッター２５の主板部２５ｂの上面および上側シャッター３５の主板部３５ｂの下面には、上シェル３０の開口３４および滑りシート２８，３８の開口２８ａ，３８ａを通して回転中の磁気ディスク１４の表面に接触するクリーニング部材４４がそれぞれ放射状に取り付けられている。クリーニング部材４４は、シャッター２５，３５の主板部２５ｂ，３５ｂの閉方向の端縁に沿って放射状に取り付けられており、これらクリーニング部材４４は、磁気ディスク１４が静止している際に磁気ディスク１４がシャッター２５，３５の主板部２５ｂ，３５ｂに接触するのを防止する機能も有する。
【００７４】
また、シャッター２５、３５が開いて磁気ディスク１４が回転しているときにクリーニング部材４４が磁気ディスク１４の表面の一か所のみに接触していると磁気ディスク１４の回転時のバランスが悪いので、磁気ディスク１４の保護用に設けられている滑りシート２８，３８の磁気ディスク１４に面する表面に、クリーニング部材４４と同一高さを有する突条４５を、シャッター開時のクリーニング部材４４に対して１８０度偏位した位置に放射状に設けることが好ましい。さらに各２本の突条４５を、シャッター開時のクリーニング部材４４に対して１２０度偏位した位置に放射状に設けてもよい。
【００７５】
図６は、ディスクドライブ６に磁気ディスクカートリッジ１０を挿入する場合の状態を示す概略的平面図、図７は、磁気ディスクカートリッジ１０がディスクドライブ６に装着された状態を示す概略的平面図である。なお、図６および図７は、磁気ディスクカートリッジ１０とディスクドライブ６との相対位置関係の説明に供するもので、細部については省略してある。
【００７６】
ディスクドライブ６は、カートリッジ挿入スロット６ａと、内部のカートリッジ収容スペース７とを備え、さらに、通常はカートリッジ１０の挿入通路（通路の端縁を破線Ｌで示してある）外に退避している上下一対の回動式アーム５１を備えたヘッドアセンブリ５０と、ディスクドライブ６へのカートリッジ１０の挿入に伴って、シャッター３５の作動用突片３５ｄに係合して、シャッター２５，３５を開作動させるシャッター作動部材５２とを備えている。アーム５１の先端には磁気ヘッド５３が互いに対向するようにそれぞれ固定されて、磁気ディスク１４の両面にアクセスするように構成されている。
【００７７】
また、上記カートリッジ挿入スロット６ａは、ディスクドライブ６のヘッドアセンブリ５０側とは反対側の側壁面６ｂに接して形成され、この側壁面６ｂに、磁気ディスクカートリッジ１０の側壁２２の挿入位置決め段部２２ａに係合する位置決め突起６ｃが形成されている。また、図２に示すように、カートリッジ挿入用スロット６ａの上縁部には、磁気ディスクカートリッジ１０の側壁２２の上縁部と、閉位置にあるシャッター３５の作動用突片３５ｄとに対応する位置とに、これらの通過を許容する切欠き６ｇ，６ｈが形成されて、磁気ディスクカートリッジ１０の誤挿入を防止している。
【００７８】
磁気ディスクカートリッジ１０は、図６に矢示する方向からディスクドライブ６に挿入され、その際に、シャッター３５が備えている作動用突片３５ｄに、ディスクドライブ６のシャッター作動部材５２が係合して、磁気ディスクカートリッジ１０の挿入に伴ってシャッター２５，３５が開作動される。その場合、上側シャッター３５の作動用突片３５ｄが磁気ディスクカートリッジ１０の挿入方向に対して右側方に設けられているため、磁気ディスクカートリッジ１０の挿入に伴って、シャッター作動部材５２から磁気ディスクカートリッジ１０に対しこれを図の時計方向に回動させようとする力Ｆが加えられるが、ハウジング１２のコーナー部の直線状に延びる側壁２２がディスクドライブ６の内壁面６ｂに当接して回動が阻止されるようになっている。そして、図７に示すように、磁気ディスクカートリッジ１０が完全にディスクドライブ６内に挿入されると、ディスクドライブ６が備えている図示しない位置決め突起が位置決め基準孔１６に係入し、さらに、必要に応じてハウジング１２の側壁に形成されている位置決め凹部２２ｂに、ディスクドライブ６側の図示しない位置決め突起が係入して、磁気ディスクカートリッジ１０がディスクドライブ６内の所定位置に係止される。そして、ヘッドアセンブリ５０のアーム５１が図の反時計方向に回動して、磁気ヘッド５３が磁気ディスク１４の両面にアクセスする。
【００７９】
以上の説明で明らかなように、本実施の形態の磁気ディスクカートリッジ１０は、そのハウジング１２が、磁気ディスク１４の輪郭に沿った円と、互いに直角に交わる２本の上記円の外接線とからなる形状の外縁からなる平面形を有することにより、ディスクドライブ６に挿入する際、ディスクドライブ６に対して確実に所定の向きで位置決めすることができる。
【００８０】
特に、ハウジング１２の互いに直角に交わる２本の外接線に沿って直線状に延びる二つの側壁２１，２２の外面が、これに隣接する、磁気ディスク１４の輪郭に沿った円を描く周壁２０ｂの外周面の外接線よりも若干外方に張り出し、かつ上記二つの側壁２１，２２の上縁がハウジング１２の面板部の上面から突出しているため、ディスクカートリッジ１０を手で摘んだだけで、ディスクカートリッジ１０の表裏およびディスクドライブ６に対する正しい挿入方向を識別することができる。
【００８１】
すなわち、ディスクカートリッジ１０のディスクドライブ６への挿入方向に関しトレーリング側の端部となる位置に側壁２１が存在しているから、ディスクカートリッジ１０の前後方向の向きが簡単に識別され、また側壁２１，２２の上縁がハウジング１２の面板部の上面から突出する一方、下縁は下シェル２０の下面と揃っているから、ディスクカートリッジ１０の表裏方向の向きも簡単に識別され得る。
【００８２】
それに加えて、カートリッジ挿入用スロット６ａの上縁に前述の切欠き６ｇ、６ｈ（図２参照）が形成されているから、磁気ディスクカートリッジ１０が前後および表裏方向の向きは概ね正しくて、ディスク回転方向に若干回転したような不正な向きで挿入された際には、側壁２２の上縁部とシャッター３５の作動用突片３５ｄが各々切欠き６ｇ、６ｈを通過できず、それによって誤挿入が防止される。
【００８３】
さらに、ハウジング１２の表裏の少なくとも一方の面上に、この面を他方の面と識別可能にする凹凸部を備えているので、触感でこの凹凸部を認識することができ、これにより表裏をより正確に識別することができる。したがって、磁気ディスクカートリッジ１０を指で摘んでディスクドライブ６に挿入するときに、表裏を間違えて挿入することを防止することもできる。
【００８４】
また、二つの側壁２１，２２によって画成されるハウジングコーナー部が、磁気ディスク１４の外周から離れた位置にあるため、このコーナー部に、ハウジングを上下に貫通する位置決め基準孔１６を設けたり、あるいは、例えば光の反射、透過または特定波長の透過によって情報を読み取ることができる識別片１８をハウジング１２に後から埋め込むこむこともでき、その場合、この識別片によって記録容量等を識別することができるから、ハウジングを共通にすることができるという利点もある。
【００８５】
さらに、ハウジング１２が、下シェル２０と、この下シェル２０の内側に上方から嵌着される上シェル３０とによって構成され、かつこの磁気ディスクカートリッジ１０を構成するすべての構成要素が、上シェル３０の円形凹部３７上に接着されるカバープレート４１を除いては、全て下シェル内に積上げ方式で嵌合により組み付けられるようになっているため、超小型でありながら組立て性に優れているという利点を有するものである。
【００８６】
さらに、本実施の形態においては、下シェル２０，上シェル３０，カバープレート４１およびシャッター２５，３５が全て金属で形成され、かつその組立てが積上げ式で行なわれるから、廃棄時に金属材料とその他のプラスチック材料とを分別して廃棄することが容易であり、環境汚染の防止効果も有するものである。
【００８７】
次に、図８〜図１０は上述した磁気ディスクカートリッジ１０の一部の構造を変更した実施の形態を示す図で、図８は図２に対応する斜視図、図９および図１０は、それぞれ図６および図７に対応する概略的平面図である。
【００８８】
本実施の形態においては、図８および図１０から明らかなように、ディスクカートリッジ１０のディスクドライブ６への挿入方向に関しトレーリング側の隅部において挿入方向と直交するように形成されている側壁２１の上部に、コーナー部側とは反対側の端部から水平に切り込まれて板バネ部２１ａが形成されている。この板バネ部２１ａは、図９に示すように、その自由端がハウジング１２の中心部に向かって偏位しており、この板バネ部２１ａに対しこれを側壁２１に一致する方向に力を加えることによって板バネ部２１ａが弾性的に撓み、付勢力を発生するように構成されている。
【００８９】
この側壁２１の上部に板バネ部２１ａが形成されていることを除いては、本実施の形態は前述した実施の形態と同一構造を有するので、内部構造の図示ならびんに重複する説明は省略するが、本実施の形態においては、図９に示すように、ディスクドライブ６に対する磁気ディスクカートリッジ１０の挿入行程の終了寸前に、ハウジング１２の側壁２１の板バネ部２１ａがディスクドライブ６のカートリッジ挿入スロット６ａの上縁の外壁面６ｄに弾性的に当接することにより、板バネ部２１ａが弾性的に撓められ、磁気ディスクカートリッジ１０が完全にディスクドライブ６内に挿入された状態では、図１０に示すように、板バネ部２１ａが側壁２１に一致し、この状態で、ディスクドライブ６が備えている図示しない位置決め突起が位置決め基準孔１６に係入し、さらに必要に応じてハウジング１２の側壁２２に形成されている位置決め凹部２２ｂに、ディスクドライブ６側の図示しない位置決め突起が係入して、磁気ディスクカートリッジ１０がディスクドライブ６内の所定位置に係止される。そして、ヘッドアセンブリ５０のアーム５１が図の反時計方向に回動して、磁気ヘッド５３が磁気ディスク１４の両面にアクセスする。
【００９０】
この状態では、磁気ディスクカートリッジ１０の板バネ部２１ａの弾性復元力によって、排出方向に付勢されることになる。また、磁気ディスクカートリッジ１０の板バネ部２１ａの弾性復元力によって、排出方向に付勢されることにより、ディスクドライブ６からの取出し時に、磁気ディスクカートリッジ１０が係止から解放されると、磁気ディスクカートリッジ１０が板バネ部２１ａの弾性復元力により排出方向に押し出される。
【００９１】
以上の説明で明らかなように、本実施の形態においては、磁気ディスクカートリッジ１０が、そのハウジング１２の板バネ部２１ａの弾性復元力によって排出方向に付勢された状態でディスクドライブ６内の所定位置に係止されることにより、ディスクドライブ６に対して遊びを解消された状態で所定位置に保持されるとともに、ディスクドライブ６からの離間性が向上する。
【００９２】
なお、磁気ディスクカートリッジ１０を排出方向に付勢する付勢手段として、上記板バネ部２１ａ以外のものを用いてもよい。
【００９３】
次の図１１〜図１２は、磁気ディスクカートリッジのハウジング６０の表面に、催吐剤を主成分として含有した催吐剤層６１が形成された状態を示す部分断面図である。
【００９４】
図１１に示すように、本実施の形態の磁気ディスクカートリッジは、ハウジング６０の表面の全面に催吐剤を主成分として含有した催吐剤層６１が形成されたものであってもよいし、図１２に示すように、ハウジング６０表面の全面に催吐剤を主成分として含有した催吐剤層６１が形成され、さらにこの催吐剤層６１の上に、催吐剤層６１を部分的に覆うように保護層６２が形成されたものであってもよい。
【００９５】
さらに、図１３に示すように、ハウジング６０の縁部にギザギザ部６３を設けて、カートリッジ１０を口に入れた際に異物感を増幅させるような構造としてもよい。また、図１３に示すような構造のカートリッジ１０のハウジング６０に対して、さらに催吐剤を主成分として含有した催吐剤層や保護層を設けてもよい。
【００９６】
使用者の手や指等に催吐剤が付着することを抑制するためには、図１２に示すようにハウジング表面に設けられた催吐剤層上に、催吐剤層を部分的に覆う保護層６２を設けることがより好ましい。
【００９７】
このような保護層６２は、ハウジングの表面全面に催吐剤を主成分として含む催吐剤塗布液を塗布し、あるいはハウジングを構成する樹脂に催吐剤を含有する等の方法により催吐剤層を設け（なお、この場合は、厳密には、催吐剤層はハウジングの表面に形成されたものではなく、ハウジングそのものが催吐剤層も兼ねている構造となるが、本発明の催吐剤層はこのような構造のものも含むものである）た後、塗布によりあるいは平網、若しくはシルクスクリーン等の印刷により催吐剤層上に催吐剤層を部分的に覆う保護層を設けることができる。
【００９８】
このようにハウジング表面上に形成された催吐剤層上に部分的に保護層を形成することにより、催吐加工を施したカートリッジを口にした場合や舐めた場合は、催吐剤層に舌が接触することで催吐感を感じさせ、かつ、この催吐加工を施したカートリッジを手にした際には、保護層の存在により手や指等に、催吐剤層に含有された催吐剤が転移、付着することを防止することができると共に、保護層が部分的に形成されていることにより、保護層表面の摩擦係数が減少し、その搬送経路におけるスベリ性を向上させることができる。
【００９９】
なお、図１１および図１２ではともに、ハウジング表面の全面に催吐剤層を設けている場合を示しているが、ハウジング表面の一部分に催吐剤層を設けていない部分が存在していても差し支えない。ハウジング表面の一部に催吐剤層を設けていない部分を形成するには、例えば、催吐剤を印刷インクの顔料に含有し、このインクを用いてハウジング表面を部分的に印刷することにより、あるいは部分的にマスクをしたハウジング表面に催吐剤を主成分として含む催吐剤塗布液を塗布し、その後にマスクを除去することにより形成することができる。
【０１００】
ハウジングの表面の催吐剤層を設けていない部分および保護層のそれぞれの面積率は、催吐剤層の表面積に対して５０〜７５％の範囲内であることが好ましい。催吐剤層を設けていない部分および保護層の面積率をそれぞれこの範囲とすることにより、催吐加工を施したカートリッジを口に含んだり、舐めたりした場合には、催吐剤層に含有された催吐剤が充分に排出され、催吐剤の刺激によって無意識的に口から吐き出させ、誤飲、誤食を防止することができる。また、刺激によって直ちに吐き出させることができるため、唾液などが記録面に付着して重要な記録再生のエラーを生じさせるという事態を防止することができる。
【０１０１】
催吐剤としては、口に含んだ際の催吐作用があれば特に限定されるものではなく、例えば、苦味催吐剤、辛味催吐剤、酸味催吐剤などを用いることができる。催吐作用の観点からすれば、苦味催吐剤が特に有効であると考えられる。
【０１０２】
苦味催吐剤の原料としては、その種類は特に制限されるものではないが、例えば苦味成分を含む植物、菌類等の水抽出物が好適であり、更に、その配合目的を考慮すれば、食品添加物等として使用、許可されているものが望ましく、このような苦味成分を含む植物としては、例えばクワ科植物、アカネ科植物、ツバキ科植物、サルノコシカケ目植物、バラ科植物、ミカン科植物、リンドウ科植物、アオギリ科植物、ニガキ科植物、キク科植物、担子菌、ツヅラフジ科植物、パン酵母、シソ科植物、アサ科，セリ科等の香辛料などを挙げることができ、より具体的には、例えばホップの花（クワ科）、コーヒーの豆（種子），シンコナサクシルブラの樹皮（アカネ科）、玉露，煎茶，番茶，マテ茶等のチャの葉（ツバキ科）、カワラタケの子実体，菌糸体，マンネンタケの子実体，菌糸体（サルノコシカケ目）、キラジャサポナリアの皮（バラ科）、キハダ又はその同属植物の樹皮，ダイダイの果皮，グレープフルーツの果皮及び種子（ミカン科）、ゲンチアナの根及び根茎（リンドウ科）、カカオの豆，コーラの種子（アオギリ科）、ニガキの樹皮及び木部（ニガキ科）、ニガヨモギの全草，ヨモギの茎，葉（キク科）、ヒメマツタケの子実体，菌糸体（担子菌）、ツヅラフジ科植物の茎、エンメイソウの茎，葉（シソ科）、香辛料であるアサの種子（アサ科），アサフェテイダの根塊及び樹脂，アジョワンの種子，アニス（セリ科）等を挙げることができる。
【０１０３】
苦味催吐剤の具体的成分としては、例えばテルペン類、キサンチン誘導体、アルカロイド類、テルペン配糖体、トリテルペノイド誘導体等の化合物を挙げることができ、具体的には、例えば、安息香酸デナトニウム、八アセチル化しょ糖、ホップ、カフェイン、カワラタケ抽出物、キク抽出物、キハダ抽出物、香辛料抽出物、ヒメマツタケ抽出物、レイシ抽出物、ナリンジン酵素処理物、ジメトキストリキニーネブルシン（ブルシン）、フムロン、ルプロン、イソフムロン、ルプトリオン、天然カフェイン、合成カフェイン、キニン、キニジン、シンコニン、タンニン、キラヤサポニン、キラヤサポゲニン、キラヤ酸、ベルベリン、ゲンチオピクリン、リモニン、テオブロミン、ナリンジン、フラバノン、カッシイン、ネオ−カッシイン、ニガキラクトンＡ〜Ｌ、ニガキノン、ピクラシンＡ〜Ｇ、メチルニガキノン、アブシンチン、ボラペトサイド、ボラプトール、メチルチオアデノシン、カフェタンニン等を好ましく用いることができる。
【０１０４】
これらの苦味催吐成分を上記植物等からの水抽出物を使用する場合、その抽出方法は特に制限されず、公知の水抽出法を採用することができ、例えば、原木等を乾燥、破砕した後、水〜熱湯を加えて必要成分を抽出した抽出液を濾過し、必要に応じて精製した後、抽出液を濃縮して抽出物を沈殿、乾燥した物をそのまま、又は標準化したものを苦味催吐物質とする方法等を挙げることができる。
【０１０５】
また、苦味催吐剤としてはウニ卵巣から抽出された苦味を呈する下記の化学式で表される４−(２−カルボキシ−２−ヒドロキシ−エチルチオ)−２−ピペリジンカルボン酸等のアミノ酸も用いることができる。
【０１０６】
【化１】
0003919084.tif 000002
上記化合物は、２個のカルボキシル基を有するが、その一方及び両者が、メチル基、エチル基、プロピル基、イソプロピル基、ブチル基、イソブチル基、ターシャルブチル基等の低級アルキル基でエステル化されていてもよい。また、上記化合物は異性体であってもよく、ナトリウム、カリウム、マグネシウム、カルシウムなどのアルカリ金属またはアルカリ土類金属、その他の典型金属また、鉄、コバルト、ニッケルなどの遷移金属等の無機イオンやアンモニウム、イソプロピルアミン、トリエチルアミン、ピリジンなどの塩基等との塩であってもよい。
【０１０７】
これらの苦味催吐物質は単独で又は２種以上を適宜組み合わせて用いることができる。特に、苦味催吐効果が大きい点、香りや色に影響を及ぼさない点、香料や色素、活性剤との共存下での安定性に変化を及ぼさない点から、デナトニウムサッカライド（ビトレックス（Ｍａｃｆａｒｌａｎ Ｓｍｉｔｈ社製)）、デナトニウムベンゾエート（Ｓｕｐｅｒ Ｖｉｌｅｘ（Ｂｕｒｌｉｎｇｔｏｎ Ｂｉｏｍｅｄｉｃａｌ＆Ｓｃｉｅｎｃｅ社製））等の安息香酸デナトニウム、ジメトキストリキニーネブルシン（ブルシン）を好ましく用いることができる。
【０１０８】
上記苦味催吐剤は、催吐剤塗布液全量に対して０．００５（５０ｐｐｍ）〜５重量％の範囲で含まれることが好ましく、０．０１〜１重量％の範囲で含まれることがより好ましい。
【０１０９】
苦味催吐剤には苦味を増強するために、上記苦味催吐物質に甘味を付与する物質を所定量配合してもよい。苦味催吐剤と組み合わせる甘味付与物質は、その種類が特に制限されるものではないが、その配合目的を考慮すれば、甘味剤、甘味を付与する矯味剤として用いられる医薬品添加物及び食品添加物等が好適であり、例えばアスパルテーム、アマチャ、アマチャ末、アミノ酢酸、異性化糖、液状ブドウ糖、液糖、果糖、還元麦芽糖水アメ、カンゾウ、カンゾウエキス、カンゾウ粗エキス、カンゾウ末、キシリトール、（濃）グリセリン、グリチルリチン酸二カリウム、グリチルリチン酸二ナトリウム、グリチルリチン酸モノアンモニウム、黒砂糖、高ブドウ糖水アメ、サッカリン、サッカリンナトリウム、サンフラクト、精製白糖、精製白糖球状顆粒、精製ハチミツ、Ｄ−ソルビトール、Ｄ−ソルビトール液、単シロップ、乳糖、白糖、ハチミツ、ブドウ糖、粉末還元麦芽糖水アメ、マルチトール、マルトース、マルトラップ−７０、Ｄ−マンニトール、水アメ、アスコルビン酸、Ｌ−アスパラギン酸、Ｌ−アスパラギン酸ナトリウム、Ｌ−アスパラギン酸マグネシウム、アマチャエキス、アミノエチルスルホン酸、ＤＬ−アラニン、５′−イノシン酸二ナトリウム、ウイキョウ、ウイキョウ末、ウイキョウ油、エリスリトール、塩化ナトリウム、塩化マグネシウム、塩酸、塩酸グルタミン酸、オイゲノール、オウバク末、オウヒエキス、オウレン、オウレン末、オレンジ、オレンジ油、カカオ末、ガーグルミクロンＺＤ−３５８６、カラメル、カルバコール、乾燥酵母、ｄ−カンフル、ｄｌ−カンフル、希塩酸、Ｄ−キシロース、５′−グアニル酸二ナトリウム、クエン酸、クエン酸ナトリウム、グリチルリチン酸、グリチルリチン酸三ナトリウム、グリチルリチン酸二アンモニウム、グルコノ−δ−ラクトン、Ｌ−グルタミン酸、Ｌ−グルタミン酸Ｌ−アルギニン、Ｌ−グルタミン酸ナトリウム、クロレラエキス、クロレラ末、ケイヒ末、ケイヒ油、コハク酸一ナトリウム、コハク酸二ナトリウム、コンブ末、酢酸、サフラン、サリチル酸メチル、サンショウ末、サンフラクト、β−シクロデキストリン、シュクシャ末、Ｄ−酒石酸、酒石酸、酒石酸水素カリウム、ＤＬ−酒石酸ナトリウム、食用ニンジン末、シンナムアルデヒド、ステアリン酸、センブリ、ソヨウ末、ダイズ油、タイソウ末、炭酸水素ナトリウム、タンニン酸、チモール、中鎖脂肪酸トリグリセリド、チョウジ油、チンピチンキ、トウガラシ、トウガラシチンキ、銅クロロフィリンナトリウム、トウヒチンキ、トウヒ末、ハッカ水、ハッカ油、ピアレックス、チョコレート、氷酢酸、ピロリン酸四ナトリウム、ブドウ酒、フマル酸、フマル酸一ナトリウム、粉糖、ペルーバルサム、ポリビニルピロリドンＫ９０、ミルラ流エキス、無水クエン酸、無水ピロリン酸ナトリウム、メチルセルロース、綿実油、ｄｌ−メントール，ｌ−メントール、ユーカリ油、リュウノウ、リュウノウ末、緑茶末、リンゲル液、リンゴ果汁、ｄｌ−リンゴ酸、ｄｌ−リンゴ酸ナトリウム、リンゴ酢、リンゴ濃縮果汁、レモン油、ローズ油、ローヤルゼリー等を挙げることができ、これらは単独で又は２種以上を適宜併用して用いることができる。
【０１１０】
苦味催吐剤と甘味付与物質との特に好適な組み合わせとしては、例えばニガキの水抽出物，ナリンジン，合成カフェイン，天然カフェインの１種又は２種以上と（濃）グリセリン，Ｄ−ソルビトール，Ｄ−キシロース，Ｄ−マンニトールの１種又は２種以上との組み合わせなどを挙げることができる。苦味を増強するためには、上記苦味催吐物質に対して甘味付与物質を重量比で苦味催吐物質：甘味付与物質＝１：１０〜１：１００００、好ましくは１：１００〜１：１００００、より好ましくは１：１０００〜１：１００００となるように配合することが好ましい。
【０１１１】
酸味催吐剤としてはクエン酸、酒石酸、乳酸、酢酸、氷酢酸、フマル酸、フマル酸ナトリウム、リンゴ酸、アジピン酸などを、辛味催吐剤としてはピペリン、シャビシン、カプサイシン、α−サンショオール、β−サンショオール、ジンゲロン、ショーガオール、イソチオシアン酸エステルなどが挙げられる。
【０１１２】
これらの催吐剤を主成分とする催吐剤層には、抗菌剤や芳香剤を含有させてもよい。なお、これらの抗菌剤や芳香剤は保護層を形成する場合に含有させることも可能である。抗菌剤の作用により、催吐剤層や保護層に雑菌が繁殖することを防止することができる。保護層に抗菌剤を含有させる場合には、コストを低く抑えながら充分な抗菌作用を得るため、選択する抗菌剤の種類や組合せによっても異なるが、抗菌剤の重量を催吐剤層であれば催吐剤塗布液全量に対し、保護層であれば保護層塗布液全量に対し０．０１〜１０重量％の範囲内とすることが好ましい。
【０１１３】
抗菌剤としては公知のものを使用することができ、例えば、シネナン製の商品名ゼオミックの他、２−（４−チアリゾル）−ベンゾイミダゾール、２−ベンゾイミダゾールカルバミン酸メチル、２−（メトキシカルボニル）ベンゾイミダゾール、Ｎ−（フルオロジクロロメチルチオ）−フタルイミド、Ｎ，Ｎ−ジメチル−Ｎ’−（ジクロロフルオロメチル）チオ−Ｎ’−フェニルスルファミド、２−ｎ−オクチル−４−イソチアゾリン−３−オン、１，２−ベンズイソチアゾリン−３−オン、ビス（２−ビリジルチオール−１−オキシド）亜鉛、ビス（２−ビリジルチオ−１−オキシド）ナトリウム、２，３，５，６−チトラクロロ−４−（メチルスルフォニル）−ビリジン、１０，１０’−オキシビスフェノキサアルシンなどを単独で又は二種以上を適宜組み合わせて用いることができる。
【０１１４】
香料成分としては、脂肪族炭化水素、テルペン炭化水素、芳香族炭化水素等の炭化水素類、脂肪族アルコール、テルペンアルコール、芳香族アルコール等のアルコール類、脂肪族エーテル、芳香族エーテル等のエーテル類、脂肪族オキサイド、テルペン類のオキサイド等のオキサイド類、脂肪族アルデヒド、テルペン系アルデヒド、水素化芳香族アルデヒド、チオアルデヒド、芳香族アルデヒド等のアルデヒド類、脂肪族ケトン、テルペンケトン、水素化芳香族ケトン、脂肪族環状ケトン、非ベンゼン系芳香族ケトン、芳香族ケトン等のケトン類、アセタール類、ケタール類、フェノール類、フェノールエーテル類、脂肪酸、テルペン系カルボン酸、水素化芳香族カルボン酸、芳香族カルボン酸等の酸類、酸アマイド類、脂肪族ラクトン、環状ラクトン、テルペン系ラクトン、水素化芳香族ラクトン、芳香族ラクトン等のラクトン類、脂肪族エステル、フラン系のカルボン酸族エステル、脂肪族環状カルボン酸エステル、芳香族カルボン酸エステル等のエステル類、ニトロムスク類、ニトリル、アミン、ピリジン類、キノリン類、ピロール、インドール等の含窒素化合物などの合成香料、動物、植物からの天然香料、天然香料及び／又は合成香料を含む調合香料などを挙げることができ、これらは単独で又は２種以上を適宜混合して使用することができる。
【０１１５】
より具体的には、例えば１９９６年化学工業日報社刊，印藤元一著（合成香料化学と商品知識）、１９６９年，ステファンアークタンダー（ＳＴＥＦＦＥＮＡＲＣＴＡＭＤＥＲ）著（パフュームアンドフレバーケミカルス＜Ｐｅｒｆｕｍｅａｎｄ Ｆｌａｖｏｒ Ｃｈｅｍｉｃａｌｓ＞）等に記載された香料等を好適に使用することができる。香料成分の配合量は、選択される香料の種類、組合せによっても異なるが催吐剤層であれば催吐剤塗布液中、保護層であれば保護層塗布液中、０．１〜１０重量％、好ましくは０．４〜８重量％の範囲で添加することが望ましい。
【０１１６】
催吐剤層を塗布により行う場合の塗布液の調整は、催吐剤、樹脂、必要に応じて溶剤、上述の抗菌剤、芳香剤、その他の添加剤を混合し、従来知られている方法、例えば、上記成分を３本ロールミルや、横型ボールミル等の分散機にて混合分散することにより行うことができる。
【０１１７】
塗布液の樹脂は公知のものを使用することができ、アクリル系樹脂、塩化ビニル系樹脂、塩素化ポリプロピレン系樹脂、不飽和ポリエステル系樹脂、ポリウレタン系樹脂、アクリル系樹脂、フェーノル系樹脂若しくはウレタン系樹脂等の種々の樹脂材料を単独で又は２種以上を適宜混合して用いることができる。
【０１１８】
溶剤もまた、公知のものを使用することができ、ソルベンナフタ、ミネラルスピリット、スビンドル油などの鎖式炭化水素、キシレン、ニトロベンゼン、デカリン、テトラリン、シクロヘキサン等の環式炭化水素、ノルマルプロピルアルコール、イソプロピルアルコール、ベンジルアルコール、シクロヘキサノール等のアルコール、酢酸エチル、酢酸ブチル、酢酸アミル、安息香酸アミル等のエステル、エチルセロソルブ、メチルセロソルブ、カルビトール等のエーテルアルコール、エチレングリコール、プロピレングリコール、グリセリン等のグリコール、メチルエチルケトン、シクロヘキサノン、メシチルオキシド等を単独又は２種以上混合して用いることができる。
【０１１９】
その他の添加剤として、必要に応じて炭酸カルシウムなどの増量材、フタル酸ジブチル、リン酸トリクレジル、セバシン酸ジメチル等の可塑剤や、モクロウ、カルナウバロウ、蜜ロウ、モンタンワックスペトロラタム等のワックス・グリースや、ホウ酸塩、ナフテン酸塩などの乾燥剤を適宜用いることができる。
【０１２０】
また、催吐剤層を印刷インクに含有させてハウジング表面に部分的に印刷するような場合には、上記の他、さらに公知の顔料、例えば、酸化チタン、酸化亜鉛、カーボンブラック、鉄黒、アニリンブラック、ハンザイエロー、ベンジジンイエロー、タートラジンレーキ、パーマネントイエロートナー、カドミウムイエロー、ベンジジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッドＦ５Ｒ、同２Ｂ、同ＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マラカイトグリーンレーキ、ピグメントグリーンＢ、ビリジアン、シェンナー、アンバー、アルミニウム粉末、ブロンズ粉末、蛍光顔料など、無機顔料、有機顔料を問わず使用することができる。
【０１２１】
以上の説明で明らかなように、この磁気ディスクカートリッジは、ハウジング６０の表面の少なくとも一部に、催吐剤を主成分として含有した催吐剤層６１が形成されていることにより、誤って又はふざけて口に含んだり舐めたりしたときに、催吐剤層に舌が接触することで催吐感を感じさせ、その刺激によって無意識的に口から吐き出させてしまう作用があり、乳幼児の誤飲、誤食を防止することができる。また、口に入れた際に異物感を増幅させるような手段が設けられている場合も同様に、刺激によって直ちに吐き出させることができるため、唾液などが記録面に付着して重要な記録再生のエラーを生じさせるという事態を防止することが可能となる。
【図面の簡単な説明】
【図１】本発明による磁気ディスクカートリッジを、このディスクカートリッジが挿入されるディスクドライブと、このディスクドライブが装填されるカードスロットを備えた電子機器とともに示す概略的説明図
【図２】本発明による磁気ディスクカートリッジの一実施の形態を上方から見た斜視図
【図３】図２の磁気ディスクカートリッジを下方から見た斜視図
【図４】図２の磁気ディスクカートリッジをシャッターが開かれた状態で示す図２に対応する斜視図
【図５】図２の磁気ディスクカートリッジの分解斜視図
【図６】図２の磁気ディスクカートリッジをディスクドライブに挿入する場合の状態を示す概略的平面図
【図７】図２の磁気ディスクカートリッジがディスクドライブに装着された状態を示す概略的平面図
【図８】本発明による磁気ディスクカートリッジの他の実施の形態の図２に対応する斜視図
【図９】図８の磁気ディスクカートリッジをディスクドライブに挿入する場合の状態を示す概略的平面図
【図１０】図８の磁気ディスクカートリッジがディスクドライブに装着された状態を示す概略的平面図
【図１１】磁気ディスクカートリッジのハウジングの表面に、催吐剤を主成分として含有した催吐剤層が形成された状態を示す部分断面図
【図１２】図１１の催吐剤層上にさらに保護層が設けられた状態を示す部分断面図
【図１３】口に入れた際の異物感を増幅させる手段がハウジングの表面に設けられた磁気ディスクカートリッジの斜視図
【図１４】本発明の前提となるディスクドライブを、このディスクドライブが装填されるカードスロットを備えた電子機器とともに示す概略的説明図
【符号の説明】
６    ディスクドライブ
１０  磁気ディスクカートリッジ
１２  ハウジング
１４  磁気ディスク
１５    センターコア
１８    識別片
２０  下シェル
２１，２２    側壁
２１ａ    側壁のバネ板部
２４，３４    磁気ヘッドアクセス用開口
２５，３５    シャッター
２８、３８    滑りシート
３０    上シェル
４０    渦巻きスプリング
４１    カバープレート
４２    ラベル
４４    クリーニング部材
４５    突条
５０    ヘッドアセンブリ
５１    アーム
５２    シャッター作動部材
５３    磁気ヘッド
６１    催吐剤層
【図１】
0003919084.tif 000003
【図２】
0003919084.tif 000004
【図３】
0003919084.tif 000005
【図４】
0003919084.tif 000006
【図５】
0003919084.tif 000007
【図６】
0003919084.tif 000008
【図７】
0003919084.tif 000009
【図８】
0003919084.tif 000010
【図９】
0003919084.tif 000011
【図１０】
0003919084.tif 000012
【図１１】
0003919084.tif 000013
【図１２】
0003919084.tif 000014
【図１３】
0003919084.tif 000015
【図１４】
0003919084.tif 000016